(57)【要約】    【課題】      とくに商品の値下げ作業ないし表示変更作業を効率化ないし簡便化可能で、作業性にすぐれ、機器の取扱いが簡便で、操作性良好な携帯式ラベル印字貼付装置を提供すること。    【解決手段】  バーコードリーダーやスキャナー３３などの光学的ないし機械的読取り器（表示情報読取り器）をラベル印字および貼付け装置に一体に組み込むことに着目したもので、物品に表示されている既表示情報を読み取り可能な表示情報読取り器３３を、貼付けユニット６に備え、表示情報読取り器３３により読み取った物品に関する既表示情報に応じて新しい表示変更用印字情報を印字部１９によりラベル片Ｌ２に印字し、表示変更用印字情報を印字された新しいラベル片Ｌ２を貼付け部２１により物品上に貼り付け可能であることを特徴とする。【選択図】        図３
2006335443.tif 000002
【特許請求の範囲】
【請求項１】
携帯可能な貼付けユニットを有し、
帯状の台紙上に複数のラベル片を有するラベル連続体を保持するラベル保持部と、
前記ラベル片に印字を行う印字部と、
この印字部により印字された前記ラベル片を前記台紙から剥離する剥離部と、
この剥離部において剥離された前記ラベル片を所定の物品に貼り付ける貼付け部と、を前記貼付けユニットに設けた携帯式ラベル印字貼付装置であって、
前記物品に表示されている既表示情報を読み取り可能な表示情報読取り器を、前記貼付けユニットに備え、
この表示情報読取り器により読み取った前記物品に関するこの既表示情報に応じて新しい表示変更用印字情報を前記印字部により前記ラベル片に印字し、
この表示変更用印字情報を印字された新しい前記ラベル片を前記貼付け部により前記物品上に貼り付け可能であることを特徴とする携帯式ラベル印字貼付装置。
【請求項２】
前記表示変更用印字情報は、前記物品に関する値下げ情報であることを特徴とする請求項１記載の携帯式ラベル印字貼付装置。
【請求項３】
前記表示情報読取り器は、前記貼付けユニットにおける前記貼付け部とは異なる部位にこれを取り付けることを特徴とする請求項１記載の携帯式ラベル印字貼付装置。
【請求項４】
前記表示情報読取り器は、前記貼付けユニットにおけるグリップの端部にこれを取り付けることを特徴とする請求項１記載の携帯式ラベル印字貼付装置。
【請求項５】
前記貼付け部は、前記貼付けユニットの最先端部にこれを位置させるとともに、
前記表示情報読取り器は、前記貼付けユニットにおける前記貼付け部から後方に位置する前記貼付けユニットの突出部にこれを取り付けることを特徴とする請求項１記載の携帯式ラベル印字貼付装置。
【請求項６】
前記表示情報読取り器は、前記貼付けユニットにおける前記貼付け部の側面の側板にこれを取り付けることを特徴とする請求項１記載の携帯式ラベル印字貼付装置。
【請求項７】
前記表示情報読取り器は、前記貼付けユニットに対してこれを出没可能に取り付けることを特徴とする請求項１記載の携帯式ラベル印字貼付装置。
【請求項８】
前記貼付け部による前記ラベル片の前記物品への貼付けを確認することができる貼付けセンサーを設けたことを特徴とする請求項１記載の携帯式ラベル印字貼付装置。
【請求項９】
前記貼付けユニットとは別体に、かつ前記貼付けユニットとの間で印字データの伝送を可能な制御ユニットを設け、
この制御ユニットにおいて、前記物品に関する前記印字データの入力および表示を行うことを特徴とする請求項１記載の携帯式ラベル印字貼付装置。
【請求項１０】
前記制御ユニットとは別体の中央処理部を設け、
この中央処理部から前記制御ユニットに、前記表示変更用印字情報を供給することを特徴とする請求項９記載の携帯式ラベル印字貼付装置。
【発明の詳細な説明】
【技術分野】
【０００１】
本発明は携帯式ラベル印字貼付装置にかかるもので、とくに値下げ情報などの表示変更用印字情報をラベル片に印字してこれを貼り付ることができるようにした携帯式ラベル印字貼付装置に関するものである。
【背景技術】
【０００２】
従来から、小売り分野においては商品の販売を促進するために、商品にすでに表示している値段から値下げすることが行われている。値下げの具体的方式としては、値段を表示しているラベルや下げ札などの値札に値下げ金額や値下げ割合を新しく表示したラベルを貼り付ける（マークダウンする）方法が一般的である。
【０００３】
しかして、値下げのタイミングはもちろん、値下げ金額や値下げ割合をどの程度にするかについては、それぞれの商品に応じてあらかじめ取り決められている基準にもとづき、また、それぞれの商品の売れ行き状況を見ながら、それぞれの売り場の担当者や責任者が判断しているが、より有効な値下げ処理を行うには、実際には季節や曜日および時間帯、天候、商品の種類や特性、賞味期限、在庫量、購買者等々各種の要因がかかわっているため、商品の陳列補充や販売接客を行いながらの値下げラベル発行の作業は、かなりの神経を使うとともに、カンと経験を必要とする作業である。
【０００４】
さらに、値下げする商品の種類、値下げ値段ないし値下げ割合が決定され、実際に値下げラベルの貼付けを行うにあたり、ラベル印字装置による印字データの入力作業および発行作業のあとに、発行されたラベルを手で取って、古い値段を表示した値札へのラベル貼付け作業を手で行っている場合が多く、このような貼付け作業の作業性に劣るという問題がある。
【０００５】
また、値下げ用の新たな値下げ用の値段を設定するにあたり、古い値段を表示している値札のバーコードやＯＣＲなどを読み取るためにバーコードリーダーやスキャナーなどの光学的ないし機械的読取り器を使用しているが、ラベル印字装置がこのスキャナーとは別体であるために、機器の取扱いが不便であるという問題がある。
【０００６】
なお、商品についてその価格の値下げとともに、たとえば「特売」その他のポップ表示についても、その内容を変更する必要がある場合があり、上述の値下げ作業と同様に、その表示変更作業を効率化することが要請されている。
【０００７】
【特許文献１】特公昭５８−１５３７６号公報
【特許文献２】特公昭６３−４４６１９号公報
【発明の開示】
【発明が解決しようとする課題】
【０００８】
本発明は以上のような諸問題にかんがみなされたもので、とくに商品の値下げ作業ないし表示変更作業を効率化ないし簡便化可能な携帯式ラベル印字貼付装置を提供することを課題とする。
【０００９】
また本発明は、値下げのタイミング、値下げ金額や値下げ割合、その他の表示変更内容などについて作業する際に、特別なカンと経験を必要とせずに、簡単に使用することができる携帯式ラベル印字貼付装置を提供することを課題とする。
【００１０】
また本発明は、表示変更ラベルないし値下げラベルの貼付けを行うにあたり、作業性にすぐれた携帯式ラベル印字貼付装置を提供することを課題とする。
【００１１】
また本発明は、古い値段を表示している値札のバーコードなどを光学的ないし機械的に読み取って新たな値下げ用の値段を設定するにあたって、機器の取扱いが簡便な携帯式ラベル印字貼付装置を提供することを課題とする。
【００１２】
また本発明は、とくに商品の値下げ作業ないし表示変更作業にあたって操作性良好な携帯式ラベル印字貼付装置を提供することを課題とする。
【課題を解決するための手段】
【００１３】
すなわち本発明は、バーコードリーダーやスキャナーなどの光学的ないし機械的読取り器（表示情報読取り器）をラベル印字および貼付け装置に一体に組み込むことに着目したもので、携帯可能な貼付けユニットを有し、帯状の台紙上に複数のラベル片を有するラベル連続体を保持するラベル保持部と、上記ラベル片に印字を行う印字部と、この印字部により印字された上記ラベル片を上記台紙から剥離する剥離部と、この剥離部において剥離された上記ラベル片を所定の物品に貼り付ける貼付け部と、を上記貼付けユニットに設けた携帯式ラベル印字貼付装置であって、上記物品に表示されている既表示情報を読み取り可能な表示情報読取り器を、上記貼付けユニットに備え、この表示情報読取り器により読み取った上記物品に関するこの既表示情報に応じて新しい表示変更用印字情報を上記印字部により上記ラベル片に印字し、この表示変更用印字情報を印字された新しい上記ラベル片を上記貼付け部により上記物品上に貼り付け可能であることを特徴とする携帯式ラベル印字貼付装置である。
【００１４】
上記表示変更用印字情報は、上記物品に関する値下げ情報であることができる。
【００１５】
上記表示情報読取り器は、上記貼付けユニットにおける上記貼付け部とは異なる部位にこれを取り付けることができる。
【００１６】
上記表示情報読取り器は、上記貼付けユニットにおけるグリップの端部にこれを取り付けることができる。
【００１７】
上記貼付け部は、上記貼付けユニットの最先端部にこれを位置させるとともに、上記表示情報読取り器は、上記貼付けユニットにおける上記貼付け部から後方に位置する上記貼付けユニットの突出部にこれを取り付けることができる。
【００１８】
上記表示情報読取り器は、上記貼付けユニットにおける上記貼付け部の側面の側板にこれを取り付けることができる。
【００１９】
上記表示情報読取り器は、上記貼付けユニットに対してこれを出没可能に取り付けることができる。
【００２０】
上記貼付け部による上記ラベル片の上記物品への貼付けを確認することができる貼付けセンサーを設けることができる。
【００２１】
上記貼付けユニットとは別体に、かつ上記貼付けユニットとの間で印字データの伝送を可能な制御ユニットを設け、この制御ユニットにおいて、上記物品に関する上記印字データの入力および表示を行うことができる。
【００２２】
上記制御ユニットとは別体の中央処理部を設け、この中央処理部から上記制御ユニットに、上記表示変更用印字情報を供給することができる。
【００２３】
上記印字データとは、一般的な印字に必要なデータはもちろんのこと、古い値段表示などの既表示情報、新しい値下げ情報などの表示変更用印字情報、さらには、表示変更用印字情報を発行した旨の表示変更情報発行データ、などをいう。
上記表示変更用印字情報には、上記印字に必要なデータはもちろん、値下げ処理が必要な値下げ対象商品名（表示変更対象物品名）、およびその値下げ場所（表示変更場所）も含むことができる。
【発明の効果】
【００２４】
本発明による携帯式ラベル印字貼付装置においては、バーコードリーダーやスキャナーなどの光学的ないし機械的読取り器（表示情報読取り器）をラベル印字および貼付け装置に一体に組み込んで貼付けユニットとして操作可能としたので、既表示情報を表示情報読取り器によって読み取り、この既表示情報に応じて、および販売データや所定の基準にもとづいて必要な表示変更用印字情報を作成して、これをラベル片に印字し、この新しいラベル片を貼付け部により物品（あるいは既表示情報がバーコードなどによる場合にはこの既表示情報）に重ねて、すなわち、これに代わって表示するように貼り付けることができる。
したがって、既表示情報の読取りから、ラベル片の印字および貼付けまでを一台かつ一体の貼付けユニットを操作することによって値下げ作業などの表示変更作業を行うことができ、簡便かつ効率的な作業を実現することができる。
【発明を実施するための最良の形態】
【００２５】
本発明は、スキャナーなどの表示情報読取り器を一体に組み込んで貼付けユニットとしてこれを操作可能としたので、値下げ作業などにおいて操作性が良好な携帯式ラベル印字貼付装置を実現した。
【実施例】
【００２６】
つぎに本発明の実施例による携帯式ラベル印字貼付装置を含む値下げ表示処理システム１（表示変更処理システム）を図１ないし図５にもとづき説明する。
図１は、値下げ表示処理システム１（表示変更処理システム）の概略全体説明図であって、値下げ表示処理システム１は、中央処理部２と、ポスレジスター３（ＰＯＳレジスター）と、中央処理部２およびポスレジスター３とは別体の当該携帯式ラベル印字貼付装置４と、を有する。
【００２７】
中央処理部２は、所定容量のサーバーおよび情報処理部を有するパソコンなどの情報処理装置であって、商品の在庫管理を行い、かつポスレジスター３からの販売データおよび携帯式ラベル印字貼付装置４からの既表示情報を受けるとともに、これらのデータにもとづいて、携帯式ラベル印字貼付装置４に必要な表示変更用印字情報（たとえば、値下げ用印字データ）を含む印字データを作成し、これらとともに表示変更指令（たとえば、値下げ指令）を供給する。
【００２８】
ポスレジスター３は、それぞれの売り場の勘定台に設置された売上げ処理機であって、各商品の販売データをリアルタイムで、あるいはバッチ処理の上、中央処理部２に供給する。
なお、中央処理部２と携帯式ラベル印字貼付装置４との間のデータ伝送は、各種方式の無線でこれを行うことが望ましいが、中央処理部２とポスレジスター３との間のデータ伝送は、無線あるいは有線のいずれであってもよい。
【００２９】
携帯式ラベル印字貼付装置４は、値下げラベルの発行および貼付けを行うもので、制御ユニット５および貼付けユニット６を有し、制御ユニット５が中央処理部２との間でリアルタイムで、あるいはバッチ処理の上、各種データの送受信を行う。
制御ユニット５および貼付けユニット６は互いに別体であって、作業者がともにこれを携帯するものとし、たとえば制御ユニット５を常に腰に携帯し、貼付けユニット６を手に把持してこれを操作する。
なお、制御ユニット５と貼付けユニット６との間のデータ伝送は、無線あるいは有線のいずれであってもよいが、無線ＬＡＮ、ブルートゥース方式、あるいは、赤外線によるＩｒＤＡ方式その他各種方式の無線でこれを行うことが望ましい。
【００３０】
図２は、制御ユニット５の概略回路図であって、制御ユニット５は、バッテリー７と、電源スイッチ８と、ＣＰＵ９と、ＲＯＭ１０と、ＲＡＭ１１と、中央処理部２および貼付けユニット６との間でそれぞれデータの送受信を行うための通信インターフェース１２と、液晶ディスプレイ１３（表示部）と、テンキー１４（入力部）と、音声あるいは振動などによる警報器１５と、を有する。
制御ユニット５は、貼付けユニット６との間で印字データの伝送を可能であり、この制御ユニット５において、通信インターフェース１２を介して中央処理部２からの印字データを受信するか、あるいはテンキー１４により物品に関する印字データの入力を行うとともに、液晶ディスプレイ１３においてそれらの表示を行う。
さらに、この制御ユニット５の液晶ディスプレイ１３において、表示変更用印字情報（たとえば、値下げ用印字データ）の印字および貼付けを促す表示変更指令（たとえば値下げ指令）を作業者に対して表示し、必要であれば、警報器１５における音声あるいは振動により表示変更指令が液晶ディスプレイ１３に表示されていることの注意を促す。
なお、制御ユニット５と貼付けユニット６との間のデータ伝送を無線で行うように構成すれば、作業者は貼付け作業以外の一般的な作業時には制御ユニット５のみを携帯し、より重量のある貼付けユニット６を常時携行する必要がなく、ラベル印字作業および値下げ作業時のみに貼付けユニット６を手に持てばよいとともに、有線接続による構成の場合に比較して、貼付けユニット６を操作する手作業についてその可動範囲をより広く、かつ融通性を持たせることができる。
【００３１】
図３は、貼付けユニット６の概略構成図であり、貼付けユニット６は、一体のグリップ１６および本体ハウジング１７を有するもので、ラベル保持部１８と、印字部１９と、剥離部２０と、貼付け部２１と、を有する。
グリップ１６は、作業者がこれを把持して貼付けユニット６を各売り場に携帯し、情報の読取り、印字および貼付けなどの操作を行う。
本体ハウジング１７には、ラベル保持部１８、印字部１９、剥離部２０および貼付け部２１を備えるとともに、必要な回路構成を内蔵する。
ラベル保持部１８は、ラベル連続体Ｌを保持するもので、ラベル連続体Ｌは、帯状の台紙Ｌ１上に複数のラベル片Ｌ２を有する。
印字部１９は、サーマルヘッド２２およびプラテンローラー２３を有し、移送用モーター２４によりプラテンローラー２３を所定ピッチで回転するとともに、サーマルヘッド２２には必要な印字データを供給して、この間に挟んで移送されるラベル片Ｌ２に印字を行う。
剥離部２０は、転向ピン２５を有し、台紙Ｌ１のみを転向ピン２５において転向して、印字されたラベル片Ｌ２を台紙Ｌ１から剥離する。
貼付け部２１は、本体ハウジング１７の最先端部に位置し、貼付けローラー２６を有し、剥離されたラベル片Ｌ２を所定の物品に貼り付ける。
【００３２】
さらに貼付けユニット６は、その回路構成として、バッテリー２７と、電源スイッチ２８と、ＣＰＵ２９と、ＲＯＭ３０と、ＲＡＭ３１と、制御ユニット５との間のデータ送受信を行うための通信インターフェース３２と、スキャナー３３（表示情報読取り器）と、スキャナーボタン３４と、印字ボタン３５と、貼付けセンサー３６と、稼動識別部３７と、上記サーマルヘッド２２および移送用モーター２４と、を有する。
【００３３】
スキャナー３３は、貼付けユニット６における貼付け部２１とは異なる部位、たとえば図示の例では、貼付けユニット６におけるグリップ１６の端部にこれを取り付ける。
スキャナー３３のその他の取付け部位としては、貼付けユニット６の最先端部に位置している貼付け部２１から後方に位置する貼付けユニット６（本体ハウジング１７）の突出部３８、あるいは貼付け部２１の近傍であっても、本体ハウジング１７の左右いずれかの側面の側板にこれを取り付けることができる（図３中仮想線を参照）。
さらに、スキャナー３３としては、貼付けユニット６に対してこれを出没可能に取り付けることにより、貼付け部２１による貼付け操作あるいはその他の操作の邪魔にならないようにすることができる。
このスキャナー３３は、物品もしくはその包装容器に直接的に、あるいはラベル片などを介して間接的に表示されている既表示情報を読み取り可能な任意の機器を採用することができる。
【００３４】
図４は、既表示情報（値下げ前価格）を表示している値下げ前ラベル片Ｌ３の一例を示す説明図であって、この値下げ前ラベル片Ｌ３には、商品名、単価、既情報バーコード３９（既表示情報）、その他必要な事項を印字してある。
既情報バーコード３９としては、バーコードにより直接的に価格を表示するか、各小売店の販売システムに応じてＰＬＵ方式（プライスルックアップ方式）の場合には商品番号などを表示しており、この既情報バーコード３９をスキャナー３３が読み取ることにより、値下げのための新しい表示変更用印字情報（値下げ後価格、あるいは値下げ割合）を作成可能とする。
すなわち、スキャナー３３により読み取った既情報バーコード３９による既表示情報を制御ユニット５を介して中央処理部２に伝送し、中央処理部２においてはこの既表示情報に応じて、およびポスレジスター３からの販売データおよび他の諸条件にもとづいて、この商品について値下げ情報としての新情報バーコード４０（表示変更用印字情報）を作成して、制御ユニット５に供給し、貼付けユニット６の印字部１９によりラベル片Ｌ２に印字し、この新情報バーコード４０を印字された新しいラベル片Ｌ２を貼付け部２１により既情報バーコード３９上に重ね合わせるように貼り付けて（図４中仮想線を参照）、既情報バーコード３９による値下げ前の価格に代わって新情報バーコード４０による値下げ価格を表示することができる。
なお、値下げラベルの種類（表示内容）によっては、ラベル片Ｌ２に上記新情報バーコード４０を印字せず、購買者の目で直接視認することができる通常の文字あるいは数字による値下げ価格あるいは値下げ率を印字したものであってもよく、この場合には、新しいラベル片Ｌ２を既情報バーコード３９上ではなく、物品の任意の部分に貼り付けることができる。
【００３５】
具体的操作としては、グリップ１６に設けたスキャナーボタン３４および印字ボタン３５のうち、まずスキャナーボタン３４を押しながら値下げ前ラベル片Ｌ３上の既情報バーコード３９をスキャニングすれば、既情報バーコード３９を読み取ることができ、ついで印字ボタン３５を押すことにより、ラベル片Ｌ２に新情報バーコード４０を印字することができる。
なお、スキャナーボタン３４を印字ボタン３５とは反対側のグリップ１６の側面（図３中の仮想線を参照）に設けることにより、それぞれのボタンの押し間違えを回避することができる。
さらに、スキャナーボタン３４および印字ボタン３５のボタンを一つにし、一般的な印字操作ではこの単一ボタンを印字動作のみの開始に使用し、中央処理部２からの表示変更指令（値下げ指令）にもとづく値下げ処理の作業においては、単一ボタンを一回押すとスキャナー３３が動作し、二回目に押すことにより印字部１９が動作するという構成にすることもできる。この構成により、まずスキャナー３３によるスキャニングを行い、つぎに、値下げラベル（ラベル片Ｌ２）の印字という順序の動作を確実に行うことができ、一般的な印字操作による値下げ前ラベル片Ｌ３と、スキャニングにより発行されるラベル片Ｌ２とを取り違えて、その商品への貼り間違いをするようなことを防止することができる。
【００３６】
貼付けセンサー３６は、貼付け部２１におけるラベル片Ｌ２の有無を検出可能であって、貼付け部２１によるラベル片Ｌ２の物品あるいは値下げ前ラベル片Ｌ３への貼付けを確認することができるもので、この確認後、つぎの読取りあるいは印字動作に移行可能である。
【００３７】
稼動識別部３７は、貼付けユニット６がどの動作状態にあるかをそれぞれのランプにより表示して作業者に知らせるもので、たとえば、「スキャナー」、「印字」、「通信」などの表示部分にランプが点灯することにより識別可能とする。
【００３８】
こうした構成の値下げ表示処理システム１（表示変更処理システム）および携帯式ラベル印字貼付装置４による値下げ処理について、図５にもとづき説明する。
値下げ処理を行わない一般的な印字貼付け処理は、携帯式ラベル印字貼付装置４の制御ユニット５においてテンキー１４から印字データを入力するか、あるいは中央処理部２からあらかじめ作成された印字データの供給を制御ユニット５が受けて、これを貼付けユニット６に送信し、貼付けユニット６の印字ボタン３５を操作することにより印字部１９による印字および移送を行い、剥離部２０で剥離したラベル片Ｌ２を貼付け部２１の貼付けローラー２６で所定の商品に貼り付けることができる。
【００３９】
図５は、値下げ処理の手順を示すフローチャート図であって、ステップＳ１において、中央処理部２が携帯式ラベル印字貼付装置４（制御ユニット５）に値下げの開始の指令（表示変更指令）、ならびに値下げ場所（表示変更場所）、値下げ対象商品名（表示変更対象物品名）および値下げラベル用の値下げデータ（印字データ）を送信する。
【００４０】
ステップＳ２において、制御ユニット５が上記値下げ指令および印字データを受信し、警報器１５を作動させ、値下げ場所および値下げ対象商品名を含む表示変更用印字情報、さらに値下げの開始の指令を液晶ディスプレイ１３に表示する。
なお、ポスレジスター３から中央処理部２に、物品の販売状況に関する販売データを供給可能として、中央処理部２は、この販売データおよび諸条件にもとづき、表示変更用印字情報および値下げの開始の指令を作成し、制御ユニット５に供給可能とする。
【００４１】
ステップＳ３において、作業者は、貼付けユニット６のスキャナー３３により値下げ対象商品の既表示情報を表示している値下げ前ラベル片Ｌ３（図４）の既情報バーコード３９をスキャンしてこれを読み取る。なお、値下げ前ラベル片Ｌ３によらず、値下げ対象商品の包装箱などに既情報バーコード３９などが直接印刷されている場合も同様である。
【００４２】
ステップＳ４において、貼付けユニット６はスキャニングした既情報バーコード３９のデータを制御ユニット５に送信し、その値下げ前ラベル片Ｌ３に対応した値下げラベル（ラベル片Ｌ２）の印字データを制御ユニット５から貼付けユニット６に送信する。
なお、作業者が誤って、値下げ不要のラベル片の既情報バーコード３９を読んでしまった場合には、制御ユニット５の液晶ディスプレイ１３あるいは警報器１５によるエラー表示ないし警告を行い、値下げラベル（新しいラベル片Ｌ２）の発行を行わない。
【００４３】
ステップＳ５において、貼付けユニット６が受信したこの印字データを印字部１９においてラベル片Ｌ２に印字し、貼付け部２１により値下げ前ラベル片Ｌ３に貼り付ける。ただし、図４の仮想線に示すように、既情報バーコード３９を覆い隠すように、かつ他の必要な表示情報は隠さないようにする。
さらに、この値下げラベルの発行履歴（貼付けユニット６により表示変更用印字情報を発行した旨の表示変更情報発行データ）を記憶する。
なお、ラベル貼付後に、値下げラベル（ラベル片Ｌ２）と値下げ前ラベル片Ｌ３との整合性を確認することもできる。たとえば、両方のラベル片のバーコード（既情報バーコード３９および新情報バーコード４０）をスキャナー３３で読み取り、制御ユニット５の液晶ディスプレイ１３にその整合性の有無を表示する。整合性が取れていない場合には、ラベル片Ｌ２をはがして、上述の値下げラベル発行の作業を行う。
また、制御ユニット５と貼付けユニット６との間でバッチ処理による各種データの送受信を行う場合には、とくに同一価格の修正（値下げ）などを行う際にあるひとつの既情報バーコード３９を読み取り、あるいは、既情報バーコード３９のすべてをまず読み取ったのち、新情報バーコード４０を有する値下げラベルを複数枚、一度に発行可能であるので、印字および貼付けの作業性が良好である。
【００４４】
最後に、ステップＳ６において、上述の作業後に、携帯式ラベル印字貼付装置４の制御ユニット５が中央処理部２に上記値下げラベル発行履歴を送信する。
【００４５】
かくして、値下げ前ラベル片Ｌ３により所定の物品に表示されている既表示情報（既情報バーコード３９）に応じて、印字部１９により新しい表示変更用印字情報をラベル片Ｌ２に印字し、貼付け部２１により簡単に貼り付けることができる。すなわち、ラベル片Ｌ２の印字から貼付けまでを貼付けユニット６のグリップ１６を握った状態で作業することができるので、従来のように手でラベル片Ｌ２を貼り付けるような面倒な手間がない。
【００４６】
なお、貼付けユニット６の貼付け部２１によりラベル片Ｌ２を商品ないし値下げ前ラベル片Ｌ３に貼り付けるのではなく、手で剥がして貼り付けるような構成とする場合には、貼付けユニット６に剥離部２０および貼付け部２１を設けることなく、貼付けユニット６を印字のみの印字ユニットとして構成するとともに、携帯式ラベル印字貼付装置４をラベル印字装置として構成することもできる。
【図面の簡単な説明】
【００４７】
【図１】本発明の実施例による携帯式ラベル印字貼付装置４を含む値下げ表示処理システム１（表示変更処理システム）の概略全体説明図である。
【図２】同、制御ユニット５の概略回路図である。
【図３】同、貼付けユニット６の概略構成図である。
【図４】同、既表示情報（値下げ前価格）を表示している値下げ前ラベル片Ｌ３の一例を示す説明図である。
【図５】同、値下げ処理の手順を示すフローチャート図である。
【符号の説明】
【００４８】
１  値下げ表示処理システム（表示変更処理システム）（図１）
２  中央処理部
３  ポスレジスター（ＰＯＳレジスター）
４  携帯式ラベル印字貼付装置（実施例、図３）
５  制御ユニット
６  貼付けユニット（図３）
７  バッテリー（図２）
８  電源スイッチ
９  ＣＰＵ
１０  ＲＯＭ
１１  ＲＡＭ
１２  通信インターフェース
１３  液晶ディスプレイ（表示部）
１４  テンキー（入力部）
１５  警報器
１６  グリップ（図３）
１７  本体ハウジング
１８  ラベル保持部
１９  印字部
２０  剥離部
２１  貼付け部
２２  サーマルヘッド
２３  プラテンローラー
２４  移送用モーター
２５  転向ピン
２６  貼付けローラー
２７  バッテリー
２８  電源スイッチ
２９  ＣＰＵ
３０  ＲＯＭ
３１  ＲＡＭ
３２  通信インターフェース
３３  スキャナー（表示情報読取り器）
３４  スキャナーボタン
３５  印字ボタン
３６  貼付けセンサー
３７  稼動識別部
３８  突出部
３９  既情報バーコード（既表示情報）
４０  新情報バーコード（表示変更用印字情報）
Ｌ    ラベル連続体
Ｌ１  ラベル連続体Ｌの台紙
Ｌ２  ラベル連続体Ｌのラベル片（値下げラベル片）
Ｌ３  既表示情報を表示している値下げ前ラベル片（図４）
【図１】
2006335443.tif 000003
【図２】
2006335443.tif 000004
【図３】
2006335443.tif 000005
【図４】
2006335443.tif 000006
【図５】
2006335443.tif 000007